(57)【要約】【課題】距離的な離間度や時間的な離間度に応じた価値の変動に対応してポイント付与を行うことができる、ポイント付与システム、サーバ装置、ポイント付与装置、ポイント付与方法、および、プログラムを提供することを課題とする。【解決手段】本発明は、少なくとも、情報提供の有無および／もしくは量と、情報提供の対象となる情報提供対象の位置情報および／もしくは当該情報提供の時間情報と、を対応付けて記憶し、情報提供対象について、当該情報提供対象以外の情報提供対象の情報提供の有無および／もしくは量と当該情報提供対象以外の情報提供対象との位置情報に基づく距離的離間度とを考慮して、ならびに／または、当該情報提供対象の過去の情報提供の有無および／もしくは量と時間情報による過去の情報提供との時間的離間度とを考慮して、ポイントを算出する。【選択図】図１
2014067246.tif 000002
【特許請求の範囲】
【請求項１】
少なくとも、情報提供の有無および／もしくは量と、上記情報提供の対象となる情報提供対象の位置情報および／もしくは当該情報提供の時間情報と、を対応付けて記憶する情報提供対象記憶手段と、上記情報提供対象について、当該情報提供対象以外の上記情報提供対象の情報提供の有無および／もしくは量と当該情報提供対象以外の上記情報提供対象との上記位置情報に基づく距離的離間度とを考慮して、ならびに／または、当該情報提供対象の過去の情報提供の有無および／もしくは量と上記時間情報による過去の情報提供との時間的離間度とを考慮して、ポイントを算出するポイント算出手段と、を備えたことを特徴とする、ポイント付与システム。
【請求項２】
請求項１に記載のポイント付与システムにおいて、上記情報提供対象は、列車であって、上記情報提供対象の位置情報は、上記列車が停車する各駅を特定する情報であることを特徴とする、ポイント付与システム。
【請求項３】
請求項２に記載のポイント付与システムにおいて、上記情報提供対象の位置情報は、上記列車の車両を特定する情報を更に含み、上記ポイント算出手段は、上記距離的離間度として、上記位置情報に基づいて上記列車の車両の離間度をも考慮して、ポイントを算出することを特徴とする、ポイント付与システム。
【請求項４】
請求項１に記載のポイント付与システムにおいて、上記情報提供対象である列車の運行にかかる時刻表の情報を記憶する時刻表記憶手段、を更に備え、上記ポイント算出手段は、上記時刻表に基づいて、当該情報提供対象以外の上記情報提供対象との列車間の運行本数を上記時間的離間度として考慮して、ポイントを算出することを特徴とする、ポイント付与システム。
【請求項５】
請求項１に記載のポイント付与システムにおいて、上記情報提供対象記憶手段は、更に、上記情報提供を行った利用者に関する利用者情報を対応付けて記憶し、上記ポイント算出手段は、上記利用者情報に基づいて、同一の利用者からの複数の情報提供による情報を考慮することなく、ポイントを算出することを特徴とする、ポイント付与システム。
【請求項６】
請求項１に記載のポイント付与システムにおいて、上記ポイント算出手段は、上記時間情報に基づいて日付を考慮することなく両時刻の差を、上記時間的離間度として考慮して、または、上記時間情報に基づいて日付を考慮した時間差を、上記時間的離間度として考慮して、ポイントを算出することを特徴とする、ポイント付与システム。
【請求項７】
請求項１に記載のポイント付与システムにおいて、上記ポイント算出手段は、上記時間的離間度が最も小さい上記情報提供対象の上記時間的離間度のみを考慮して、ポイントを算出することを特徴とする、ポイント付与システム。
【請求項８】
請求項１に記載のポイント付与システムにおいて、上記ポイント算出手段は、上記距離的離間度が最も小さい上記情報提供対象の上記距離的離間度のみを考慮して、ポイントを算出することを特徴とする、ポイント付与システム。
【請求項９】
入力部と制御部とを少なくとも備えた端末装置、および、記憶部と制御部とを少なくとも備えたサーバ装置、を通信可能に接続したポイント付与システムにおいて、上記サーバ装置の上記記憶部は、少なくとも、情報提供の有無および／もしくは量と、上記情報提供の対象となる情報提供対象の位置情報および／もしくは当該情報提供の時間情報と、を対応付けて記憶する情報提供対象記憶手段、を備え、上記端末装置の上記制御部は、上記入力部を介して、利用者により上記情報提供対象にかかる提供情報が入力されるよう制御する提供情報入力制御手段と、上記情報入力制御手段の制御により入力された上記提供情報を上記サーバ装置に送信する提供情報送信手段と、を備え、上記サーバ装置の上記制御部は、上記端末装置から送信される、上記提供情報を受信する提供情報受信手段と、上記提供情報受信手段により受信された上記提供情報にかかる上記情報提供対象について、当該情報提供対象以外の上記情報提供対象の情報提供の有無および／もしくは量と当該情報提供対象以外の上記情報提供対象との上記位置情報に基づく距離的離間度とを考慮して、ならびに／または、当該情報提供対象の過去の情報提供の有無および／もしくは量と上記時間情報による過去の情報提供との時間的離間度とを考慮して、ポイントを算出するポイント算出手段と、を備えたことを特徴とする、ポイント付与システム。
【請求項１０】
入力部を少なくとも備えた端末装置に通信可能に接続された、記憶部と制御部とを少なくとも備えたサーバ装置において、上記記憶部は、少なくとも、情報提供の有無および／もしくは量と、上記情報提供の対象となる情報提供対象の位置情報および／もしくは当該情報提供の時間情報と、を対応付けて記憶する情報提供対象記憶手段、を備え、上記制御部は、上記端末装置から送信される、上記入力部を介して利用者により入力された上記情報提供対象にかかる提供情報を受信する提供情報受信手段と、上記提供情報受信手段により受信された上記提供情報にかかる上記情報提供対象について、当該情報提供対象以外の上記情報提供対象の情報提供の有無および／もしくは量と当該情報提供対象以外の上記情報提供対象との上記位置情報に基づく距離的離間度とを考慮して、ならびに／または、当該情報提供対象の過去の情報提供の有無および／もしくは量と上記時間情報による過去の情報提供との時間的離間度とを考慮して、ポイントを算出するポイント算出手段と、を備えたことを特徴とする、サーバ装置。
【請求項１１】
記憶部と制御部とを少なくとも備えたポイント付与装置において、上記記憶部は、少なくとも、情報提供の有無および／もしくは量と、上記情報提供の対象となる情報提供対象の位置情報および／もしくは当該情報提供の時間情報と、を対応付けて記憶する情報提供対象記憶手段、を備え、上記制御部は、上記情報提供対象について、当該情報提供対象以外の上記情報提供対象の情報提供の有無および／もしくは量と当該情報提供対象以外の上記情報提供対象との上記位置情報に基づく距離的離間度とを考慮して、ならびに／または、当該情報提供対象の過去の情報提供の有無および／もしくは量と上記時間情報による過去の情報提供との時間的離間度とを考慮して、ポイントを算出するポイント算出手段、を備えたことを特徴とする、ポイント付与装置。
【請求項１２】
少なくとも、情報提供の有無および／もしくは量と、上記情報提供の対象となる情報提供対象の位置情報および／もしくは当該情報提供の時間情報と、を対応付けて記憶する情報提供対象記憶手段と、ポイント算出手段と、を備えたポイント付与システムにおいて実行されるポイント付与方法であって、上記ポイント算出手段が、上記情報提供対象について、当該情報提供対象以外の上記情報提供対象の情報提供の有無および／もしくは量と当該情報提供対象以外の上記情報提供対象との上記位置情報に基づく距離的離間度とを考慮して、ならびに／または、当該情報提供対象の過去の情報提供の有無および／もしくは量と上記時間情報による過去の情報提供との時間的離間度とを考慮して、ポイントを算出するポイント算出ステップ、を含むことを特徴とする、ポイント付与方法。
【請求項１３】
入力部と制御部とを少なくとも備えた端末装置、および、記憶部と制御部とを少なくとも備えたサーバ装置、を通信可能に接続したポイント付与システムにおいて実行されるポイント付与方法であって、上記サーバ装置の上記記憶部は、少なくとも、情報提供の有無および／もしくは量と、上記情報提供の対象となる情報提供対象の位置情報および／もしくは当該情報提供の時間情報と、を対応付けて記憶する情報提供対象記憶手段、を備え、上記端末装置の上記制御部において実行される、上記入力部を介して、利用者により上記情報提供対象にかかる提供情報が入力されるよう制御する提供情報入力制御ステップと、上記端末装置の上記制御部において実行される、上記情報入力制御ステップにて入力された上記提供情報を上記サーバ装置に送信する提供情報送信ステップと、上記サーバ装置の上記制御部において実行される、上記端末装置から送信される、上記提供情報を受信する提供情報受信ステップと、上記サーバ装置の上記制御部において実行される、上記提供情報受信ステップにて受信された上記提供情報にかかる上記情報提供対象について、当該情報提供対象以外の上記情報提供対象の情報提供の有無および／もしくは量と当該情報提供対象以外の上記情報提供対象との上記位置情報に基づく距離的離間度とを考慮して、ならびに／または、当該情報提供対象の過去の情報提供の有無および／もしくは量と上記時間情報による過去の情報提供との時間的離間度とを考慮して、ポイントを算出するポイント算出ステップと、を含むことを特徴とする、ポイント付与方法。
【請求項１４】
入力部を少なくとも備えた端末装置に通信可能に接続された、記憶部と制御部とを少なくとも備えたサーバ装置において実行されるポイント付与方法であって、上記記憶部は、少なくとも、情報提供の有無および／もしくは量と、上記情報提供の対象となる情報提供対象の位置情報および／もしくは当該情報提供の時間情報と、を対応付けて記憶する情報提供対象記憶手段、を備え、上記制御部において実行される、上記端末装置から送信される、上記入力部を介して利用者により入力された上記情報提供対象にかかる提供情報を受信する提供情報受信ステップと、上記提供情報受信ステップにて受信された上記提供情報にかかる上記情報提供対象について、当該情報提供対象以外の上記情報提供対象の情報提供の有無および／もしくは量と当該情報提供対象以外の上記情報提供対象との上記位置情報に基づく距離的離間度とを考慮して、ならびに／または、当該情報提供対象の過去の情報提供の有無および／もしくは量と上記時間情報による過去の情報提供との時間的離間度とを考慮して、ポイントを算出するポイント算出ステップと、を含むことを特徴とする、ポイント付与方法。
【請求項１５】
記憶部と制御部とを少なくとも備えたポイント付与装置において実行されるポイント付与方法であって、上記記憶部は、少なくとも、情報提供の有無および／もしくは量と、上記情報提供の対象となる情報提供対象の位置情報および／もしくは当該情報提供の時間情報と、を対応付けて記憶する情報提供対象記憶手段、を備え、上記制御部において実行される、上記情報提供対象について、当該情報提供対象以外の上記情報提供対象の情報提供の有無および／もしくは量と当該情報提供対象以外の上記情報提供対象との上記位置情報に基づく距離的離間度とを考慮して、ならびに／または、当該情報提供対象の過去の情報提供の有無および／もしくは量と上記時間情報による過去の情報提供との時間的離間度とを考慮して、ポイントを算出するポイント算出ステップ、を含むことを特徴とする、ポイント付与方法。
【請求項１６】
入力部を少なくとも備えた端末装置に通信可能に接続された、記憶部と制御部とを少なくとも備えたサーバ装置に実行させるためのプログラムであって、上記記憶部は、少なくとも、情報提供の有無および／もしくは量と、上記情報提供の対象となる情報提供対象の位置情報および／もしくは当該情報提供の時間情報と、を対応付けて記憶する情報提供対象記憶手段、を備え、上記制御部において、上記端末装置から送信される、上記入力部を介して利用者により入力された上記情報提供対象にかかる提供情報を受信する提供情報受信ステップと、上記提供情報受信ステップにて受信された上記提供情報にかかる上記情報提供対象について、当該情報提供対象以外の上記情報提供対象の情報提供の有無および／もしくは量と当該情報提供対象以外の上記情報提供対象との上記位置情報に基づく距離的離間度とを考慮して、ならびに／または、当該情報提供対象の過去の情報提供の有無および／もしくは量と上記時間情報による過去の情報提供との時間的離間度とを考慮して、ポイントを算出するポイント算出ステップと、を実行させるためのプログラム。
【請求項１７】
記憶部と制御部とを少なくとも備えたポイント付与装置に実行させるためのポイント付与方法であって、上記記憶部は、少なくとも、情報提供の有無および／もしくは量と、上記情報提供の対象となる情報提供対象の位置情報および／もしくは当該情報提供の時間情報と、を対応付けて記憶する情報提供対象記憶手段、を備え、上記制御部において、上記情報提供対象について、当該情報提供対象以外の上記情報提供対象の情報提供の有無および／もしくは量と当該情報提供対象以外の上記情報提供対象との上記位置情報に基づく距離的離間度とを考慮して、ならびに／または、当該情報提供対象の過去の情報提供の有無および／もしくは量と上記時間情報による過去の情報提供との時間的離間度とを考慮して、ポイントを算出するポイント算出ステップ、を実行させるためのプログラム。
【発明の詳細な説明】
【技術分野】
【０００１】
本発明は、ポイント付与システム、サーバ装置、ポイント付与装置、ポイント付与方法、および、プログラムに関する。
【背景技術】
【０００２】
従来、利用者からの情報提供に応じてポイント付与等のインセンティブを与える方法が開発されている。
【０００３】
例えば、非特許文献１に記載のポイント付与方法は、所定対象への利用者からの情報提供が初めてである場合に、当該対象への２回目以降の情報提供に比べて、ポイントを高く付与することにより、未だ情報提供がなされていない対象への情報提供を施す仕組みが用いられている。
【０００４】
また、特許文献１では、プローブ情報をサーバに送信する車両の密度を所定区間の道路について算出し、その密度に応じてプローブ情報提供の対価としての基本価格を決定する方法が開示されている。
【先行技術文献】
【特許文献】
【０００５】
【特許文献１】特開２００５−４３５９号公報
【非特許文献】
【０００６】
【非特許文献１】アップルワールド、“クチコミ投稿でアップルポイントを貯めよう！”、［ｏｎｌｉｎｅ］、掲載年月日不明、アップルワールド、掲載場所：アップルワールドトップ＞プレゼント、［平成２４年８月１日検索］、インターネット＜ＵＲＬ：ｈｔｔｐ：／／ａｐｐｌｅｗｏｒｌｄ．ｃｏｍ／ａｐｌ／ｐｒｅｓｅｎｔ／１１７５２１２＿１９６４７９．ｈｔｍｌ＞
【発明の概要】
【発明が解決しようとする課題】
【０００７】
ここで、情報提供の対象同士が地理的に近接している場合には、一方の情報提供対象Ａに対し情報提供が多数行われていると、その情報提供対象Ａに近接する情報提供対象Ｂの情報提供の価値は低くなるが、従来のインセンティブ付与方法では、そのような価値が正しく反映されていないという問題点を有していた。より具体的には、ある鉄道路線の各停車駅ａ，ｂ，ｃ・・・が電車の遅延状況に関する情報提供の対象となっている場合において、停車駅ａ，ｃに対する情報提供が多い場合には、停車駅ｂについての情報は停車駅ａ，ｃについての情報が推察可能なため情報提供の価値が低くなるが、従来、このような価値の変動に対し適切に対応できないという問題点を有していた。
【０００８】
特に、非特許文献１に記載の技術では、情報提供対象に対する初めての情報提供にのみ高いポイントを付与しているものの、情報提供対象に隣接する情報提供の有無による価値の変動に対処できないという問題点を有していた。
【０００９】
また、特許文献１に記載の技術では、情報提供対象が所定区間の道路であり、それ自体が地理的に広がりをもっているために、その所定区間の範囲内における情報の多寡や密度については考慮されるものの、隣接する区間の情報の多寡は考慮されないため、隣接する情報提供対象の情報の多寡による価値の変動に対応できないという問題点を有していた。より具体的には、所定区間の一端側の情報の本来の価値は、その所定区間の他端側の情報量および一端側に接続された別の道路区間の情報量の影響を受けるはずであるが、特許文献１に記載の技術では、後者の情報量の影響を考慮しておらず、正しい価値評価が行われていないという問題点を有していた。
【００１０】
また、地理的隣接に限らず、同様の問題は、時間的に隣接している場合にも生じる。具体的には、ある情報提供対象Ａに対して、どの時間帯に情報提供が行われていたかによって、特定の時間帯・期間帯の情報提供は価値が低くなる場合に、従来、価値変動に対応できないという問題点を有していた。
【００１１】
本発明は、上記問題点に鑑みてなされたもので、距離的な離間度や時間的な離間度に応じた価値の変動に対応してポイント付与を行うことができる、ポイント付与システム、サーバ装置、ポイント付与装置、ポイント付与方法、および、プログラムを提供することを目的とする。
【課題を解決するための手段】
【００１２】
このような目的を達成するため、本発明のポイント付与システムは、少なくとも、情報提供の有無および／もしくは量と、上記情報提供の対象となる情報提供対象の位置情報および／もしくは当該情報提供の時間情報と、を対応付けて記憶する情報提供対象記憶手段と、上記情報提供対象について、当該情報提供対象以外の上記情報提供対象の情報提供の有無および／もしくは量と当該情報提供対象以外の上記情報提供対象との上記位置情報に基づく距離的離間度とを考慮して、ならびに／または、当該情報提供対象の過去の情報提供の有無および／もしくは量と上記時間情報による過去の情報提供との時間的離間度とを考慮して、ポイントを算出するポイント算出手段と、を備えたことを特徴とする。
【００１３】
また、本発明のポイント付与システムは、上記記載のポイント付与システムにおいて、上記情報提供対象は、列車であって、上記情報提供対象の位置情報は、上記列車が停車する各駅を特定する情報であることを特徴とする。
【００１４】
また、本発明のポイント付与システムは、上記記載のポイント付与システムにおいて、上記情報提供対象の位置情報は、上記列車の車両を特定する情報を更に含み、上記ポイント算出手段は、上記距離的離間度として、上記位置情報に基づいて上記列車の車両の離間度をも考慮して、ポイントを算出することを特徴とする。
【００１５】
また、本発明のポイント付与システムは、上記記載のポイント付与システムにおいて、上記情報提供対象である列車の運行にかかる時刻表の情報を記憶する時刻表記憶手段、を更に備え、上記ポイント算出手段は、上記時刻表に基づいて、当該情報提供対象以外の上記情報提供対象との列車間の運行本数を上記時間的離間度として考慮して、ポイントを算出することを特徴とする。
【００１６】
また、本発明のポイント付与システムは、上記記載のポイント付与システムにおいて、上記情報提供対象記憶手段は、更に、上記情報提供を行った利用者に関する利用者情報を対応付けて記憶し、上記ポイント算出手段は、上記利用者情報に基づいて、同一の利用者からの複数の情報提供による情報を考慮することなく、ポイントを算出することを特徴とする。
【００１７】
また、本発明のポイント付与システムは、上記記載のポイント付与システムにおいて、上記ポイント算出手段は、上記時間情報に基づいて日付を考慮することなく両時刻の差を、上記時間的離間度として考慮して、または、上記時間情報に基づいて日付を考慮した時間差を、上記時間的離間度として考慮して、ポイントを算出することを特徴とする。
【００１８】
また、本発明のポイント付与システムは、上記記載のポイント付与システムにおいて、上記ポイント算出手段は、上記時間的離間度が最も小さい上記情報提供対象の上記時間的離間度のみを考慮して、ポイントを算出することを特徴とする。
【００１９】
また、本発明のポイント付与システムは、上記記載のポイント付与システムにおいて、上記ポイント算出手段は、上記距離的離間度が最も小さい上記情報提供対象の上記距離的離間度のみを考慮して、ポイントを算出することを特徴とする。
【００２０】
また、本発明のポイント付与システムは、入力部と制御部とを少なくとも備えた端末装置、および、記憶部と制御部とを少なくとも備えたサーバ装置、を通信可能に接続したポイント付与システムにおいて、上記サーバ装置の上記記憶部は、少なくとも、情報提供の有無および／もしくは量と、上記情報提供の対象となる情報提供対象の位置情報および／もしくは当該情報提供の時間情報と、を対応付けて記憶する情報提供対象記憶手段、を備え、上記端末装置の上記制御部は、上記入力部を介して、利用者により上記情報提供対象にかかる提供情報が入力されるよう制御する提供情報入力制御手段と、上記情報入力制御手段の制御により入力された上記提供情報を上記サーバ装置に送信する提供情報送信手段と、を備え、上記サーバ装置の上記制御部は、上記端末装置から送信される、上記提供情報を受信する提供情報受信手段と、上記提供情報受信手段により受信された上記提供情報にかかる上記情報提供対象について、当該情報提供対象以外の上記情報提供対象の情報提供の有無および／もしくは量と当該情報提供対象以外の上記情報提供対象との上記位置情報に基づく距離的離間度とを考慮して、ならびに／または、当該情報提供対象の過去の情報提供の有無および／もしくは量と上記時間情報による過去の情報提供との時間的離間度とを考慮して、ポイントを算出するポイント算出手段と、を備えたことを特徴とする。
【００２１】
また、本発明のサーバ装置は、入力部を少なくとも備えた端末装置に通信可能に接続された、記憶部と制御部とを少なくとも備えたサーバ装置において、上記記憶部は、少なくとも、情報提供の有無および／もしくは量と、上記情報提供の対象となる情報提供対象の位置情報および／もしくは当該情報提供の時間情報と、を対応付けて記憶する情報提供対象記憶手段、を備え、上記制御部は、上記端末装置から送信される、上記入力部を介して利用者により入力された上記情報提供対象にかかる提供情報を受信する提供情報受信手段と、上記提供情報受信手段により受信された上記提供情報にかかる上記情報提供対象について、当該情報提供対象以外の上記情報提供対象の情報提供の有無および／もしくは量と当該情報提供対象以外の上記情報提供対象との上記位置情報に基づく距離的離間度とを考慮して、ならびに／または、当該情報提供対象の過去の情報提供の有無および／もしくは量と上記時間情報による過去の情報提供との時間的離間度とを考慮して、ポイントを算出するポイント算出手段と、を備えたことを特徴とする。
【００２２】
また、本発明のポイント付与装置は、記憶部と制御部とを少なくとも備えたポイント付与装置において、上記記憶部は、少なくとも、情報提供の有無および／もしくは量と、上記情報提供の対象となる情報提供対象の位置情報および／もしくは当該情報提供の時間情報と、を対応付けて記憶する情報提供対象記憶手段、を備え、上記制御部は、上記情報提供対象について、当該情報提供対象以外の上記情報提供対象の情報提供の有無および／もしくは量と当該情報提供対象以外の上記情報提供対象との上記位置情報に基づく距離的離間度とを考慮して、ならびに／または、当該情報提供対象の過去の情報提供の有無および／もしくは量と上記時間情報による過去の情報提供との時間的離間度とを考慮して、ポイントを算出するポイント算出手段、を備えたことを特徴とする。
【００２３】
また、本発明のポイント付与方法は、少なくとも、情報提供の有無および／もしくは量と、上記情報提供の対象となる情報提供対象の位置情報および／もしくは当該情報提供の時間情報と、を対応付けて記憶する情報提供対象記憶手段と、ポイント算出手段と、を備えたポイント付与システムにおいて実行されるポイント付与方法であって、上記ポイント算出手段が、上記情報提供対象について、当該情報提供対象以外の上記情報提供対象の情報提供の有無および／もしくは量と当該情報提供対象以外の上記情報提供対象との上記位置情報に基づく距離的離間度とを考慮して、ならびに／または、当該情報提供対象の過去の情報提供の有無および／もしくは量と上記時間情報による過去の情報提供との時間的離間度とを考慮して、ポイントを算出するポイント算出ステップ、を含むことを特徴とする。
【００２４】
また、本発明のポイント付与方法は、入力部と制御部とを少なくとも備えた端末装置、および、記憶部と制御部とを少なくとも備えたサーバ装置、を通信可能に接続したポイント付与システムにおいて実行されるポイント付与方法であって、上記サーバ装置の上記記憶部は、少なくとも、情報提供の有無および／もしくは量と、上記情報提供の対象となる情報提供対象の位置情報および／もしくは当該情報提供の時間情報と、を対応付けて記憶する情報提供対象記憶手段、を備え、上記端末装置の上記制御部において実行される、上記入力部を介して、利用者により上記情報提供対象にかかる提供情報が入力されるよう制御する提供情報入力制御ステップと、上記端末装置の上記制御部において実行される、上記情報入力制御ステップにて入力された上記提供情報を上記サーバ装置に送信する提供情報送信ステップと、上記サーバ装置の上記制御部において実行される、上記端末装置から送信される、上記提供情報を受信する提供情報受信ステップと、上記サーバ装置の上記制御部において実行される、上記提供情報受信ステップにて受信された上記提供情報にかかる上記情報提供対象について、当該情報提供対象以外の上記情報提供対象の情報提供の有無および／もしくは量と当該情報提供対象以外の上記情報提供対象との上記位置情報に基づく距離的離間度とを考慮して、ならびに／または、当該情報提供対象の過去の情報提供の有無および／もしくは量と上記時間情報による過去の情報提供との時間的離間度とを考慮して、ポイントを算出するポイント算出ステップと、を含むことを特徴とする。
【００２５】
また、本発明のポイント付与方法は、入力部を少なくとも備えた端末装置に通信可能に接続された、記憶部と制御部とを少なくとも備えたサーバ装置において実行されるポイント付与方法であって、上記記憶部は、少なくとも、情報提供の有無および／もしくは量と、上記情報提供の対象となる情報提供対象の位置情報および／もしくは当該情報提供の時間情報と、を対応付けて記憶する情報提供対象記憶手段、を備え、上記制御部において実行される、上記端末装置から送信される、上記入力部を介して利用者により入力された上記情報提供対象にかかる提供情報を受信する提供情報受信ステップと、上記提供情報受信ステップにて受信された上記提供情報にかかる上記情報提供対象について、当該情報提供対象以外の上記情報提供対象の情報提供の有無および／もしくは量と当該情報提供対象以外の上記情報提供対象との上記位置情報に基づく距離的離間度とを考慮して、ならびに／または、当該情報提供対象の過去の情報提供の有無および／もしくは量と上記時間情報による過去の情報提供との時間的離間度とを考慮して、ポイントを算出するポイント算出ステップと、を含むことを特徴とする。
【００２６】
また、本発明のポイント付与方法は、記憶部と制御部とを少なくとも備えたポイント付与装置において実行されるポイント付与方法であって、上記記憶部は、少なくとも、情報提供の有無および／もしくは量と、上記情報提供の対象となる情報提供対象の位置情報および／もしくは当該情報提供の時間情報と、を対応付けて記憶する情報提供対象記憶手段、を備え、上記制御部において実行される、上記情報提供対象について、当該情報提供対象以外の上記情報提供対象の情報提供の有無および／もしくは量と当該情報提供対象以外の上記情報提供対象との上記位置情報に基づく距離的離間度とを考慮して、ならびに／または、当該情報提供対象の過去の情報提供の有無および／もしくは量と上記時間情報による過去の情報提供との時間的離間度とを考慮して、ポイントを算出するポイント算出ステップ、を含むことを特徴とする。
【００２７】
また、本発明のプログラムは、入力部を少なくとも備えた端末装置に通信可能に接続された、記憶部と制御部とを少なくとも備えたサーバ装置に実行させるためのプログラムであって、上記記憶部は、少なくとも、情報提供の有無および／もしくは量と、上記情報提供の対象となる情報提供対象の位置情報および／もしくは当該情報提供の時間情報と、を対応付けて記憶する情報提供対象記憶手段、を備え、上記制御部において、上記端末装置から送信される、上記入力部を介して利用者により入力された上記情報提供対象にかかる提供情報を受信する提供情報受信ステップと、上記提供情報受信ステップにて受信された上記提供情報にかかる上記情報提供対象について、当該情報提供対象以外の上記情報提供対象の情報提供の有無および／もしくは量と当該情報提供対象以外の上記情報提供対象との上記位置情報に基づく距離的離間度とを考慮して、ならびに／または、当該情報提供対象の過去の情報提供の有無および／もしくは量と上記時間情報による過去の情報提供との時間的離間度とを考慮して、ポイントを算出するポイント算出ステップと、を実行させることを特徴とする。
【００２８】
また、本発明のプログラムは、記憶部と制御部とを少なくとも備えたポイント付与装置に実行させるためのポイント付与方法であって、上記記憶部は、少なくとも、情報提供の有無および／もしくは量と、上記情報提供の対象となる情報提供対象の位置情報および／もしくは当該情報提供の時間情報と、を対応付けて記憶する情報提供対象記憶手段、を備え、上記制御部において、上記情報提供対象について、当該情報提供対象以外の上記情報提供対象の情報提供の有無および／もしくは量と当該情報提供対象以外の上記情報提供対象との上記位置情報に基づく距離的離間度とを考慮して、ならびに／または、当該情報提供対象の過去の情報提供の有無および／もしくは量と上記時間情報による過去の情報提供との時間的離間度とを考慮して、ポイントを算出するポイント算出ステップ、を実行させることを特徴とする。
【発明の効果】
【００２９】
この発明によれば、少なくとも、情報提供の有無および／もしくは量と、情報提供の対象となる情報提供対象の位置情報および／もしくは当該情報提供の時間情報と、を対応付けて記憶し、情報提供対象について、当該情報提供対象以外の情報提供対象の情報提供の有無および／もしくは量と当該情報提供対象以外の情報提供対象との位置情報に基づく距離的離間度とを考慮して、ならびに／または、当該情報提供対象の過去の情報提供の有無および／もしくは量と時間情報による過去の情報提供との時間的離間度とを考慮して、ポイントを算出する。これにより、本発明は、距離的な離間度や時間的な離間度に応じた価値の変動に対応してポイント付与を行うことができるという効果を奏する。
【００３０】
また、本発明によれば、上記において、情報提供対象は、列車であって、情報提供対象の位置情報は、列車が停車する各駅を特定する情報であるので、所定路線の停車駅間の駅数等を反映させた距離的離間度に応じてポイントを付与することができるという効果を奏する。
【００３１】
また、本発明によれば、上記において、情報提供対象の位置情報は、列車の車両を特定する情報を更に含み、距離的離間度として、位置情報に基づいて列車の車両の離間度をも考慮してポイントを算出する。これにより、本発明は、電車の車両位置に応じた離間度をもポイントに反映させることができるという効果を奏する。
【００３２】
また、本発明によれば、上記において、情報提供対象である列車の運行にかかる時刻表の情報を記憶し、時刻表に基づいて、当該情報提供対象以外の情報提供対象との列車間の運行本数を時間的離間度として考慮して、ポイントを算出することを特徴とする。これにより、本発明は、情報提供が行われた過去の列車とどの程度の時間間隔が離れているかではなく、列車運行の疎密をも反映させた本数を時間的な離間度としてポイントに反映させることができるという効果を奏する。
【００３３】
また、本発明によれば、上記において、更に、情報提供を行った利用者に関する利用者情報を対応付けて記憶し、利用者情報に基づいて、同一の利用者からの複数の情報提供による情報を考慮することなく、ポイントを算出する。これにより、本発明は、同一の情報提供者からの複数の情報の影響を排除して、より正確な情報の価値評価を反映させたポイント計算を行うことができるという効果を奏する。
【００３４】
また、本発明によれば、上記において、時間情報に基づいて日付を考慮することなく両時刻の差を、時間的離間度として考慮して、または、時間情報に基づいて日付を考慮した時間差を、上記時間的離間度として考慮して、ポイントを算出する。これにより、本発明は、日にちが違っていても同じダイヤで運行されるような場合において、日付を考慮しない情報の価値評価を行うこともでき、また、日付を考慮した価値評価を行うこともできるという効果を奏する。
【００３５】
また、本発明によれば、上記において、時間的離間度が最も小さい情報提供対象の時間的離間度のみを考慮して、ポイントを算出するので、時間的に最も近い過去の提供情報を参照して対象の情報価値の評価を行うことができるという効果を奏する。
【００３６】
また、本発明によれば、上記において、距離的離間度が最も小さい上記情報提供対象の上記距離的離間度のみを考慮して、ポイントを算出するので、地理的に最も近い過去の提供情報を参照して対象の情報価値の評価を行うことができるという効果を奏する。
【００３７】
なお、上記において、本発明のポイント付与システムを一例に効果の説明をしたが、サーバ装置、ポイント付与装置、ポイント付与方法、および、プログラムにおいても同様の効果を奏する。
【図面の簡単な説明】
【００３８】
【図１】図１は、第１の実施形態におけるポイント付与システムの構成の一例を示すブロック図である。
【図２】図２は、第１の実施形態における端末装置１００の処理の一例を示すフローチャートである。
【図３】図３は、距離的離間度を考慮した結果、低ポイントが算出される例を模式的に示した路線図である。
【図４】図４は、距離的離間度を考慮した結果、高ポイントが算出される例を模式的に示した路線図である。
【図５】図５は、ポイント算出のために用いる路線図を示す図である。
【図６】図６は、駅間の距離的離間度に加えて車両間の距離的離間度やダイヤ本数の時間的離間度を考慮してポイントを算出する例を模式的に示す図である。
【図７】図７は、ポイント通知部１０２ｄにより出力されたポイント情報に基づく表示画面例を示す図である。
【図８】図８は、ポイント通知部１０２ｄにより出力されたポイント情報の履歴に基づく表示画面例を示す図である。
【図９】図９は、ポイント通知部１０２ｄにより表示されるランキング表示画面例を示す図である。
【図１０】図１０は、ポイント通知部１０２ｄにより出力されたポイント情報に基づく表示画面例を示す図である。
【図１１】図１１は、第２の実施形態におけるポイント付与装置４００の構成の一例を示すブロック図である。
【図１２】図１２は、第２の実施形態におけるポイント付与装置４００の処理の一例を示すフローチャートである。
【発明を実施するための形態】
【００３９】
以下に、本発明にかかるポイント付与システム、サーバ装置、ポイント付与装置、ポイント付与方法、および、プログラムの実施の形態を図面に基づいて詳細に説明する。なお、この実施の形態によりこの発明が限定されるものではない。特に、以下の実施の形態の説明においては、情報提供対象として列車を例にした形態について説明することがあるが、これに限られず、情報提供対象は、船（フェリー等）や飛行機やバス等であってもよい。
【００４０】
以下、本発明の構成および処理について、第１の実施形態（ポイント付与システム）、および、第２の実施形態（ポイント付与装置）の順にて詳細に説明する。
【００４１】
［第１の実施形態］
最初に、本発明の第１の実施形態（ポイント付与システム）について、図１から図１０を参照して以下に説明する。但し、以下に示す第１の実施形態は、本発明の技術思想を具体化するためのポイント付与システムを例示するものであって、本発明をこのポイント付与システムに特定することを意図するものではなく、特許請求の範囲に含まれるその他の実施形態のポイント付与システムにも等しく適用し得るものである。例えば、第１の実施形態で例示するポイント付与システムにおけるにおける通信端末側と中継装置側の機能分散の形態は以下に限られず、同様の効果や機能を奏し得る範囲において、任意の単位で機能的または物理的に分散・統合して構成することができる。
【００４２】
［ポイント付与システムの構成］
まず、第１の実施形態におけるポイント付与システムの一例について、図１を参照して以下に説明する。ここで、図１は、第１の実施形態におけるポイント付与システムの構成の一例を示すブロック図であり、該構成のうち本発明に関係する部分のみを概念的に示している。なお、第１の実施形態においては、通信型のナビゲーションを提供するナビゲーションシステムを具体例として説明するが、本発明はこれに限ることなく、スタンドアローンタイプのナビゲーションシステムなどにも適用可能である。
【００４３】
図１に示すように、本実施形態のポイント付与システムは、概略的に、サーバ装置２００、および、単数または複数の端末装置１００、を通信可能に接続して構成される。ここで、端末装置１００は、経路案内アプリケーションおよび乗換案内アプリケーション等を搭載した小型端末装置等であってもよい。図１に示すように、通信には、一例として、ネットワーク３００を介した有線・無線通信等の遠隔通信等を含む。また、これらポイント付与システムの各部は任意の通信路を介して通信可能に接続されている。
【００４４】
図１に示すように、第１の実施形態のポイント付与システムにおいて、サーバ装置２００は、概略的に、制御部２０２と記憶部２０６とを少なくとも備えている。また、端末装置１００は、位置取得部１１２と出力部１１４と入力部１１６と制御部１０２と記憶部１０６とを備える。
【００４５】
本実施形態のポイント付与システムは、端末装置１００およびサーバ装置２００を、ネットワーク３００を介して通信可能に接続される。ネットワーク３００は、端末装置１００と、サーバ装置２００と、外部の地図提供サーバ等の外部機器６００とを相互に接続する機能を有し、例えば、インターネット、電話回線網（携帯端末回線網および一般電話回線網等）、イントラネット、または、電力線通信（ＰＬＣ）等であってもよい。
【００４６】
［サーバ装置２００の構成］
ここで、図１において、サーバ装置２００は、端末装置１００から送信される、提供情報を受信し、提供情報にかかる情報提供対象について、当該情報提供対象以外の情報提供対象の情報提供の有無および／もしくは量と当該情報提供対象以外の情報提供対象との位置情報に基づく距離的離間度とを考慮して、ならびに／または、当該情報提供対象の過去の情報提供の有無および／もしくは量と時間情報による過去の情報提供との時間的離間度とを考慮して、ポイントを算出する等の機能を有する。サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置およびＳＳＤ（Ｓｏｌｉｄ  Ｓｔａｔｅ  Ｄｒｉｖｅ）等のストレージ手段であり、各種のデータベースやテーブル（情報提供対象データベース２０６ａ、地図データベース２０６ｂ、時刻表データベース２０６ｃ、および、ポイントデータベース２０６ｄ等）を格納する。
【００４７】
これら記憶部２０６の各構成要素のうち、情報提供対象データベース２０６ａは、少なくとも、情報提供の有無および／もしくは量と、情報提供の対象となる情報提供対象の位置情報および／もしくは当該情報提供の時間情報と、を対応付けて記憶する情報提供対象記憶手段である。ここで、情報提供対象とは、情報提供の対象であって、例えば、列車やフェリーやバス等の交通機関であってもよい。ここで、情報提供対象データベース２０６ａは、情報提供対象の識別情報に対応付けて、情報提供の有無、提供情報、情報提供を行った利用者に関する利用者情報（ユーザＩＤや端末ＩＤ等）、情報提供の量（その情報提供対象に対する利用者からの投稿数、投稿した利用者の人数など）、情報提供対象の位置情報（緯度経度や駅名や駅間の区間等）、情報提供の時間情報等を記憶してもよい。一例として、情報提供にかかる提供情報は、遅延情報（遅延時間など）、混雑度（混雑レベル）、天気や気温、体感温度（熱い、寒いなど）、事故や渋滞（渋滞の距離、速度など）、情報提供対象の状態（通常運行、不通、停止中など）の情報提供の内容に関する情報である。また、一例として、情報提供対象の位置情報は、列車が停車する各駅を特定する情報であってもよい。また、より詳細に、情報提供対象の位置情報は、列車の車両を特定する情報を更に含んでもよい。時間情報は、情報提供が行われた時間（日付、時間帯等）を特定するための情報であってもよい。ここで、情報提供対象データベース２０６ａは、情報提供対象識別情報に対応付けて、後述するポイント算出部２０２ｂにより算出された付与予定のポイント数を記憶してもよい。
【００４８】
また、地図データベース２０６ｂは、距離的離間度を把握するための地図情報等を記憶する地図情報記憶手段である。ここで、地図情報は、鉄道等の路線図に関する情報であってもよい。すなわち、地図データベース２０６ｂは、公共交通機関の路線を図式化したデータを記憶してもよい。路線図データは、路線図に含まれる駅名の文字データとの組み合わせであってもよく、現在地がどの路線のどの駅であるか等が特定可能なパターンデータ等であってもよい。すなわち、地図データベース１０６ｃは、路線図を表すための、文字列配置情報、配色情報、記号情報、および、ホーム情報等を適宜組み合わせた、路線、駅名、進行方向、および、交通機関の運行種別等を特定可能なパターンデータであってもよい。路線図データ等の地図情報は、複数の縮尺のラスタ形式の地図描画用の画像、または、ベクタ形式の地図描画用の画像等であってもよい。また、地図情報は、例えば、縮尺に従ってメッシュ化された地図情報（例えば、ＪＩＳ規格の第１〜３次地域区画メッシュデータ、および、１００ｍメッシュデータ等）等の屋外地図情報であってもよい。また、地図情報は、全国および各地方の道路地図や路線図等の屋外地図情報を含んでいてもよい。また、地図情報は、例えば、高さ情報を持つ建築物（例えば、立体駐車場、駅、デパート、および、学校等）に関するフロア案内地図等の屋内地図情報を更に含んでいてもよい。これら地図情報等は、地図データベース２０６ｂに予め記憶されており、サーバ装置２００の制御部２０２は、定期的に、および／または、制御部２０２による処理に応じて（例えば、制御部２０２においてデータが必要となる契機等）、ネットワーク３００を介して最新のデータを外部機器６００（例えば、地図情報を提供する地図提供サーバなど）等からダウンロードして地図データベース２０６ｂに記憶された地図情報等をアップデートしてもよい。
【００４９】
ここで、地図データベース２０６ｂは、地図情報に限らず、距離的離間度を把握するために、ネットワークデータを記憶してもよい。ネットワークデータは、交通網表現上の結節点であるノードと、当該ノード間を接続するリンクと、の組み合わせによって表現されるネットワークに関する情報であってもよい。また、ネットワークデータは、道路ネットワークデータ、路線網ネットワークデータ、および、施設内ネットワークデータを含んでいてもよい。ここで、ネットワークデータに含まれる道路ネットワークデータは、道路網を規定するネットワークデータであり、例えば、交差点等の道路網表現上の結節点であるノードのノードデータと、ノード間の道路区間であるリンクのリンクデータとの組み合わせによって表現されるネットワークデータである。ここで、ノードデータには、ノード番号（例えば、ノードＩＤ等）、ノードの名称、緯度経度高度等の位置座標、ノード種別、接続するリンク本数、接続ノード番号、および、交差点名称等の情報を含んでいてもよい。また、リンクデータには、リンク番号（例えば、リンクＩＤ等）、開始ノードＩＤ、終了ノードＩＤ、道路の種別、国道や県道や市道等の路線番号、重用する路線情報、リンクの存在する行政区域の属性情報、リンク長（例えば、距離等）、道路供用状況、異常気象時通行規制区間、車重制限、車両高さ制限、幅員、道路幅員区分、レーン情報（例えば、車線数、路線バス専用通行帯、二輪専用通行帯、および二輪・軽車両専用通行帯等の専用通行帯、路線バス等優先通行帯、車両通行区分、ならびに、進行方向別通行区分などについての車両通行帯情報等）、制限速度、車線変更規制、高架、トンネルおよび橋等のリンク内属性、ならびに、名称等の情報を含んでいてもよい。また、道路ネットワークデータは、利用運賃料金データ等を含んでいてもよい。ここで、利用運賃料金データは、自動車およびオートバイ等で移動する場合に消費する燃料料金、ならびに、高速自動車国道および自動車専用道路等の有料道路の通行料金等を表す情報等であってもよい。また、道路ネットワークデータは、自動車、オートバイ、自転車、および、徒歩等で移動する場合の経路上に存在する施設等の緯度経度情報などの位置情報等を記憶してもよい。
【００５０】
また、ネットワークデータに含まれる路線網ネットワークデータは、鉄道、飛行機、バス、および、船等の各交通機関（例えば、公共交通機関等）の路線網を規定するネットワークデータであり、例えば、路線網表現上の結節点であるノード（例えば、交通機関の停留地点である駅、停留場、停車場、停留所、空港、港、および、ターミナル等）のノードデータと、ノード間を接続する鉄道路線、航空路線、航路、および、バス路線等のリンクのリンクデータとの組み合わせによって表現されるネットワークデータである。ここで、路線とは、交通機関が通過する出発地と目的地とを結ぶ線であってもよい。また、鉄道とは、ルート上に設置された固定式案内路（レール、および案内軌条など）等に誘導されて走行し、旅客や貨物等を輸送する交通機関であり、例えば、電車、路面電車、ロープウェイ、モノレール、ケーブルカー、および、リニアモーターカー等であってもよい。また、ノードデータには、ノード番号（例えば、ノードＩＤ等）、ノードの名称（例えば、交通機関の停留地点の名称である駅名、停留場名、停車場名、停留所名、空港名、港名、および、ターミナルの名称等）、および、緯度経度高度などの位置座標等の情報を含んでいてもよい。また、リンクデータには、リンク番号（例えば、リンクＩＤ等）、開始ノードＩＤ、終了ノードＩＤ、種別、リンク長（例えば、距離等）、高架、トンネルおよび橋等のリンク内属性、ならびに、名称（例えば、路線名など）等の情報を含んでいてもよい。また、路線網ネットワークデータは、更に、交通機関の種別（例えば、特急、急行、準急、快速、快速急行、通勤特急、通勤快速、通勤急行、区間急行、区間準急、区間快速、各駅停車、および、普通など）に対応したノード（例えば、急行停車駅、準急停車駅、および、快速停車駅等）のノードデータと、当該ノード間を接続する鉄道路線、および、バス路線等のリンクのリンクデータとの組み合わせによって表現されるネットワークデータを当該種別に対応付けて含んでいてもよい。また、路線網ネットワークデータは、交通機関の乗降場所（例えば、駅のプラットホーム等）の位置情報（例えば、緯度経度高度等）、形状情報、配置情報（例えば、島式ホームおよび相対式ホーム等）、および、属性情報（例えば、プラットホーム番号などの乗降場所の名称および識別番号等）などを含む乗降場所情報を含んでいてもよい。また、路線網ネットワークデータは、交通機関の利用運賃料金データを含んでいてもよい。ここで、利用運賃料金データは、例えば、鉄道、飛行機、バス、および、船等の各交通機関を利用した場合に生じる利用運賃料金等を表す情報等であってもよい。また、路線網ネットワークデータは、乗車位置データを含んでいてもよい。ここで、乗車位置データは、例えば、電車、路面電車、モノレール、ケーブルカー、および、リニアモーターカー等の複数の車両が連結した交通機関の乗車位置（一例として、改札口に近い車両、乗換に便利な位置の車両、混雑率の低い車両、および、女性専用車両等）を表す情報等であってもよい。
【００５１】
また、時刻表データベース２０６ｃは、交通機関の時刻表情報を記憶する時刻表情報記憶手段である。ここで、時刻表データベース２０６ｃに記憶される時刻表情報は、例えば、電車、飛行機、バス、市電、ロープウェイ、モノレール、ケーブルカー、リニアモーターカー、および、船等の各公共交通機関の各駅の時刻表を表す情報等であってもよい。ここで、本実施形態において交通機関の駅は、電車、飛行機、バス、市電、ロープウェイ、モノレール、ケーブルカー、リニアモーターカー、および、船等の交通機関の停留地点（列車駅、バス駅、停車場、停車所、空港や停機場等）などの停止位置を含む。また、時刻表情報は、駅名に対応付けて、交通機関の出発時刻のほか、通過時刻や到着時刻を定義づけたデータであってもよく、交通機関の便名や行き先や、普通や快速等の種別等を更に定義づけたデータであってもよい。時刻表情報は、時刻表データベース２０６ｃに予め記憶されており、サーバ装置２００の制御部２０２は、定期的に、および／または、制御部２０２による処理に応じて（例えば、制御部２０２においてデータが必要となる契機等）、ネットワーク３００を介して最新のデータを外部機器６００（例えば、時刻表情報を提供する時刻表サーバなど）等からダウンロードして時刻表データベース２０６ｃに記憶された時刻表情報をアップデートしてもよい。
【００５２】
また、ポイントデータベース２０６ｄは、利用者情報（ユーザＩＤや端末ＩＤ等）に対応付けて、ポイント数等のポイント情報を記憶するポイント情報記憶手段である。ここで、ポイントデータベース２０６ｄは、ポイント獲得履歴（ポイントを獲得した日付やポイント数等の情報等）、ランキング順位（ポイント数が利用者全体のうちの何位か等）、ポイント利用履歴、ポイントと引き換え可能なサービスや商品等を特定する情報等のポイント情報を記憶してもよい。
【００５３】
なお、上記以外にも記憶部２０６には、利用者の利用路線等の属性に関するデータ、駅等のＰＯＩデータ、交通情報等の情報を記憶してもよい。なお、サーバ装置２００の制御部２０２は、定期的に、および／または、制御部２０２による処理に応じて（例えば、制御部２０２においてデータが必要となる契機等）、最新の情報（例えば、渋滞情報）を外部機器６００（例えば、警察庁、ＶＩＣＳ（登録商標）（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）、および、ＡＴＩＳ（Ａｄｖａｎｃｅｄ  Ｔｒａｆｆｉｃ  Ｉｎｆｏｒｍａｔｉｏｎ  Ｓｅｒｖｉｃｅ）（登録商標）、日本道路交通情報センター（ＪＡＲＴＩＣ）（登録商標）、鉄道会社、および、交通情報配信サーバ（サービス）など）や端末装置１００等からダウンロードしてもよい。また、サーバ装置２００の制御部２０２は、定期的に、および／または、制御部２０２による処理に応じて（例えば、制御部２０２においてデータが必要となる契機等）、最新の交通情報を６００（交通情報を提供する案内情報提供サーバなど）等からダウンロードしてもよい。そして、制御部２０２は、ダウンロードした交通情報を、対応する情報提供対象と関連付けて情報提供対象データベース２０６ａに格納してもよい。
【００５４】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、提供情報受信部２０２ａ、ポイント算出部２０２ｂ、および、ポイント情報送信部２０２ｃを備える。
【００５５】
このうち、提供情報受信部２０２ａは、端末装置１００から送信される、情報提供対象にかかる提供情報を受信する提供情報受信手段である。ここで、提供情報受信部２０２ａは、受信した提供情報を、利用者情報（ユーザＩＤや端末ＩＤ等）とともに、対応する情報提供対象の識別情報に対応付けて、情報提供対象データベース２０６ａに格納してもよい。
【００５６】
また、ポイント算出部２０２ｂは、情報提供対象について、当該情報提供対象以外の情報提供対象の情報提供の有無および／もしくは量と当該情報提供対象以外の情報提供対象との位置情報に基づく距離的離間度とを考慮して、ならびに／または、当該情報提供対象の過去の情報提供の有無および／もしくは量と時間情報による過去の情報提供との時間的離間度とを考慮して、ポイントを算出するポイント算出手段である。
【００５７】
ここで、ポイント算出部２０２ｂが、ポイント算出対象の情報提供対象について、当該情報提供対象以外の情報提供対象の情報提供の有無および／もしくは量と、当該情報提供対象以外の情報提供対象との位置情報に基づく距離的離間度と、を考慮する例について説明する。一例として、情報提供対象が列車である場合に、ポイント算出部２０２ｂは、情報提供対象の列車が停車する各駅を特定した位置情報に基づいて、路線の停車駅間の駅数を考慮してポイントを算出してもよい。例えば、ポイント算出部２０２ｂは、駅間がｘ駅離れている場合に、ｘ２をポイント数として算出してもよい。なお、ポイント算出部２０２ｂは、列車の車両を特定する位置情報に基づいて、距離的離間度として列車の車両の離間度をも考慮して、ポイントを算出してもよい。例えば、ポイント算出部２０２ｂは、車両間がｙ車両離れている場合に、ｙ２をポイントに付加して算出してもよい。
【００５８】
つづいて、ポイント算出部２０２ｂが、ポイント算出対象の情報提供対象について、当該情報提供対象の過去の情報提供の有無および／もしくは量と時間情報による過去の情報提供との時間的離間度とを考慮する場合について説明する。一例として、ポイント算出部２０２ｂは、情報提供対象データベース２０６ａに記憶された時間情報に基づいて、日付を考慮することなく両時刻の差を、時間的離間度として考慮してポイントを算出してもよい。例えば、過去の情報提供の時間情報が５月１日８時を示しており、ポイント算出対象の情報提供の時間情報（現在時刻や投稿時刻等）が５月１日９時を示している場合、ポイント算出部２０２ｂは、日にちを無視して時間的離間度を１時間差としてポイントを算出してもよい。なお、これに限られず、ポイント算出部２０２ｂは、情報提供対象データベース２０６ａに記憶された時間情報に基づいて、日付を考慮した時間差を時間的離間度として考慮して、ポイントを算出してもよい。例えば、過去の情報提供の時間情報が５月１日８時を示しており、ポイント算出対象の情報提供の時間情報（現在時刻や投稿時刻等）が５月１日９時を示している場合、日にちを考慮して時間的離間度を２５時間差としてポイントを算出してもよい。また、過去の情報提供に係る時間情報については、いくつかのセグメントに分割し、そのセグメント毎に重みを付けて時間的離間度を定めてもよい。
【００５９】
なお、時間的離間度は、時間差に限られず、情報提供間の運行本数等であってもよい。例えば、ポイント算出部２０２ｂは、時刻表データベース２０６ｃに記憶された時刻表に基づいて、ポイント算出対象の情報提供対象以外の情報提供対象との列車間の運行本数を、時間的離間度として考慮して、ポイントを算出してもよい。例えば、ポイント算出部２０２ｂは、時刻表に基づいて、列車間の運行本数がｚ車両離れている場合に、ｚ２をポイントに付加してもよい。なお、ポイント算出部２０２ｂは、上述した例を組み合せて、以下の式に基づいて、ポイントを算出してもよい。
ポイント数＝ｘ２＋ｙ２＋ｚ２
【００６０】
なお、ポイント算出部２０２ｂは、ポイントを算出する場合に、情報提供対象データベース２０６ａに記憶された、情報提供者の利用者情報（ユーザＩＤや端末ＩＤ等）に基づいて、同一の利用者からの複数の情報提供による情報を考慮せず、各利用者からの一つの提供情報のみを参照してポイントを算出してもよい。また、ポイント算出部２０２ｂは、距離的離間度が最も小さい情報提供対象の距離的離間度のみを考慮してポイントを算出してもよく、時間的離間度が最も小さい情報提供対象の時間的離間度のみを考慮してポイントを算出してもよい。この他、ポイント算出部２０２ｂは、ポイント算出の考慮対象とする時間範囲や距離範囲を種々の方法にて限定してもよい。例えば、ポイント算出部２０２ｂは、ポイント算出対象の過去の情報提供と所定の時間範囲（所定の時間差以内や、所定の運行本数以内）の場合にポイント算出の考慮に入れてもよい。また、ポイント算出部２０２ｂは、ポイント算出対象と他の情報提供対象が所定の距離範囲（所定値（ｋｍ）以内、所定駅数以内、所定車両数以内）の場合にポイント算出の考慮に入れてもよい。ポイント算出部２０２ｂは、算出したポイント数を利用者情報（ユーザＩＤや端末ＩＤ等）に対応付けてポイントデータベース２０６ｄに格納してもよい。
【００６１】
また、ポイント情報送信部２０２ｃは、ポイント算出部２０２ｂにより算出されたポイント数等のポイント情報を端末装置１００に送信するポイント情報送信手段である。ここで、ポイント情報送信部２０２ｃは、ポイントデータベース２０６ｄに記憶された利用者情報（ユーザＩＤや端末ＩＤ等）に対応するポイント情報を端末装置１００に送信してもよい。例えば、ポイント情報送信部２０２ｃは、ポイント数のほか、ポイント獲得履歴（ポイントを獲得した日付やポイント数等の情報等）、ランキング順位（ポイント数が利用者全体のうちの何位か等）、ポイント利用履歴、ポイントと引き換え可能なサービスや商品等を特定する情報等のポイント情報を端末装置１００に送信してもよい。
【００６２】
［端末装置１００の構成］
ここで、図１において、端末装置１００は、入力部１１６を介して利用者により情報提供対象にかかる提供情報が入力されるよう制御し、入力された提供情報をサーバ装置２００に送信する等の機能を有する。端末装置１００は、例えば、一般に市販されるデスクトップ型またはノート型のパーソナルコンピュータ等の情報処理装置、携帯電話、スマートフォン、ＰＨＳ、およびＰＤＡ等の携帯端末装置、および、走行経路案内等を行うナビゲーション端末（例えば、カー自動応答装置など）等である。ここで、端末装置１００は、インターネットブラウザ等を搭載していてもよく、経路案内アプリケーション、乗換案内アプリケーション、および情報検索アプリケーション等を搭載していてもよい。また、端末装置１００は、リアルタイムに現在位置測位が行えるよう、ＧＰＳ機能やＩＭＥＳ機能等を有する位置取得部１１２を備えていてもよい。また、端末装置１００の出力部１１４は、表示手段としての表示出力用の出力部のほか、音声出力手段等の音声出力用の出力部を含んでもよい。また、端末装置１００は、データ入力等を行う入力部１１６を備えてもよい。
【００６３】
ここで、出力部１１４は、アプリケーション等の表示画面を表示する表示手段（例えば、液晶または有機ＥＬ等やＬＥＤから構成されるディスプレイおよびモニタ等）であってもよい。また、出力部１１４は、音声情報等を音声として出力または警告音等の音声を出力する音声出力手段（例えば、スピーカ等）であってもよい。また、入力部１１６は、例えば、キー入力部（テンキー等）、タッチパネル、キーボード、およびマイク（音声入力手段）等であってもよい。また、入出力制御インターフェース部１０８は、位置取得部１１２、出力部１１４、および、入力部１１６等の制御を行う。
【００６４】
ここで、位置取得部１１２は、例えば、位置発信装置５００から発信される位置情報信号を受信する信号受信手段であってもよい。ここで、位置発信装置５００は、位置情報信号（ＧＰＳ信号）を発信するＧＰＳ装置であってもよい。また、位置発信装置５００は、端末装置１００との間で無線通信を行うための装置等である基地局（例えば、携帯電話、自動車電話、および、ＰＨＳの基地局等）であってもよい。また、位置発信装置５００は、ＧＰＳ信号と類似した特徴を持つ位置情報信号を用いて屋内測位を可能とするＩＭＥＳ（Ｉｎｄｏｏｒ  Ｍｅｓｓａｇｅ  Ｓｙｓｔｅｍ）技術を実現するＩＭＥＳ装置であってもよい。なお、ＩＭＥＳ技術は測位衛星システムである準天頂衛星の枠組みから発案されたシステムである。
【００６５】
また、位置発信装置５００は、屋外で受信したＧＰＳ信号を屋内で発信するＧＰＳリピータであってもよい。また、位置発信装置５００は、建物（例えば、立体駐車場等）内の各フロアや地下構造物（例えば、地下鉄駅、地下街、地下連絡通路、および地下駐車場等）の各所に任意に設置される小型発信装置であってもよい。なお、この小型発信装置には、設置場所に応じた自己位置情報（位置ＩＤ等）が割り振られている。そして、端末装置１００が通信可能範囲に入ると、端末装置１００は、小型発信装置から送信される自己位置情報を位置情報信号として受信する。この際の通信方式は、例えば、ＲＦＩＤ（Ｒａｄｉｏ  Ｆｒｅｑｕｅｎｃｙ  Ｉｄｅｎｔｉｆｉｃａｔｉｏｎ）タグシステムやＢｌｕｅｔｏｏｔｈ（登録商標）等の各種近距離無線方式や、赤外線通信方式等であってもよい。また、位置発信装置５００は、無線ＬＡＮのアクセスポイントであってもよい。本実施形態において、位置取得部１１２は、無線ＬＡＮ信号等を受信して、アクセスポイントの識別情報を取得してもよい。そして、制御部１０２は、位置取得部１１２にて取得したアクセスポイント固有の識別情報からアクセスポイントの位置を特定して位置情報を取得してもよい。また、本実施形態において、制御部１０２は、位置取得部１１２にて取得された位置情報信号から、緯度、経度、および、高さ情報を含む位置情報を算出してもよい。ここで、位置情報は、緯度および経度により特定される絶対位置の他、基準となる位置からの相対位置を示すものであってもよい。
【００６６】
ここで、位置取得部１１２は、端末装置１００の変化量（例えば、ベクトル量等）を検出する速度センサ、加速度センサ、方位センサ、および、距離センサ等を備えていてもよい。ここで、位置取得部１１２は、速度センサにて速度を検出してもよい。また、位置取得部１１２は、加速度センサにて加速度を検出してもよい。また、位置取得部１１２は、方位センサにて方位（例えば、東・西・南・北・天・地等）および傾きを検出してもよい。また、位置取得部１１２は、距離センサにて移動距離（変位）を検出してもよい。ここで、速度センサは、レーザドップラ振動計等であってもよく、検出したドップラー効果によって生じた周波数の差等から端末装置１００の速度を検出してもよい。また、加速度センサは、機械式加速度センサ、ＦＢＧ光ファイバ式等の光学式加速度センサ、および、ＭＥＭＳ（Ｍｉｃｒｏ  Ｅｌｅｃｔｒｏ  Ｍｅｃｈａｎｉｃａｌ  Ｓｙｓｔｅｍｓ）加速度センサ等の半導体式加速度センサなどであってもよい。また、方位センサには、絶対走行方位を検出する地磁気センサ、および、相対走行方位を検出する光ジャイロ等が使用されてもよい。また、方位センサは、地磁気センサと加速度センサを組み合わせることで方位および傾きに関する情報を取得できる電子コンパス等であってもよい。また、距離センサは、端末装置１００が自転車等の車両用の情報処理端末である場合、車軸の回転数に比例してパルス信号を発生させ、パルス信号の数量に比例した移動距離を検出してもよい。また、位置取得部１１２は、更に、通信装置を備えていてもよく、端末装置１００が自転車等の車両用の情報処理端末である場合、各車両に搭載された当該通信装置の車車間通信から自車位置を示す位置情報を取得してもよい。また、位置取得部１１２は、地図情報に基づいて端末装置１００の利用者の現在位置を示す位置情報を取得してもよい。
【００６７】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００や外部機器６００等と通信回線を介してデータを通信する機能を有している。
【００６８】
また、記憶部１０６は、ＨＤＤ（Ｈａｒｄ  Ｄｉｓｋ  Ｄｒｉｖｅ）等の固定ディスク装置およびＳＳＤ（Ｓｏｌｉｄ  Ｓｔａｔｅ  Ｄｒｉｖｅ）等のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（情報提供対象ファイル１０６ａ、ポイントファイル１０６ｂ等）を格納してもよい。ここで、記憶部１０６は各種のファイル等を一時的に記憶するものであってもよい。
【００６９】
これら記憶部１０６の各構成要素のうち、情報提供対象ファイル１０６ａは、情報提供対象の情報（位置情報等）を記憶する情報提供対象情報記憶手段である。例えば、情報提供対象ファイル１０６ａは、情報提供対象となる駅などを含む、公共交通機関の路線を図式化したデータを記憶してもよい。ここで、情報提供対象ファイル１０６ａに記憶される路線図データは、路線図に含まれる駅名の文字データとの組み合わせてもよく、現在地がどの路線のどの駅であるか等が特定可能なパターンデータ等であってもよい。すなわち、情報提供対象ファイル１０６ａは、路線図を表すための、文字列配置情報、配色情報、記号情報、および、ホーム情報等を適宜組み合わせた、路線、駅名、進行方向、および、交通機関の運行種別等を特定可能なパターンデータであってもよい。このほか、情報提供対象ファイル１０６ａは、情報提供対象の位置を示した地図情報や道路情報等を記憶してもよい。ここで、情報提供対象ファイル１０６ａは、サーバ装置２００から受信したポイント情報（情報提供を行えば獲得できるポイント数の情報等）を、情報提供対象の情報として記憶してもよい。このほか、情報提供対象ファイル１０６ａは、情報提供対象となるＰＯＩ（ｐｏｉｎｔ  ｏｆ  ｉｎｔｅｒｅｓｔ）の位置情報等を含むＰＯＩ情報を記憶してもよい。ここで、ＰＯＩの位置（座標）情報は、ＰＯＩの緯度経度高度、ＰＯＩの電話番号、ＰＯＩの住所、ならびに、ＰＯＩの存在する地点の立地（都市部、郊外、港湾部、および、駅周辺等）および用途制限等を含んでいてもよい。また、ＰＯＩ情報は、獲得可能なポイント数、ＰＯＩの名称、種別（カテゴリ）、ＵＲＬ、営業時間、取扱商品、平均価格（例えば、平均使用料金など）、評判、ランキング、立ち寄りやすさ、レコメンドスコア、写真データ、クーポン情報、口コミ（例えば、口コミ評価およびユーザコメントなど）、使用条件、使用可能性、施設規模、ＰＯＩ  ＩＤ、当該ＰＯＩ情報へのアクセス回数またはアクセス頻度等の参照率、および、当該ＰＯＩ情報の更新日時等の情報を含んでいてもよい。なお、端末装置１００の制御部１０２は、定期的に、および／または、制御部１０２による処理に応じて（例えば、制御部１０２においてデータが必要となる契機等）、最新の情報提供対象の情報を、サーバ装置２００や外部機器６００（路線情報やＰＯＩ情報等を提供する地図提供サーバなど）等からダウンロードしてもよい。
【００７０】
また、ポイントファイル１０６ｂは、ポイント情報を記憶するポイント情報記憶手段である。例えば、ポイントファイル１０６ｂは、サーバ装置２００から受信された、利用者のポイント情報（情報提供により獲得したポイント数の情報等）を記憶してもよい。なお、端末装置１００の制御部１０２は、定期的に、および／または、制御部１０２による処理に応じて（例えば、制御部１０２においてデータが必要となる契機等）、最新のポイント情報を、サーバ装置２００等からダウンロードしてもよい。
【００７１】
また、図１に示すように、制御部１０２は、ＯＳ等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、現在位置情報取得部１０２ａ、提供情報受付部１０２ｂ、提供情報送信部１０２ｃ、および、ポイント通知部１０２ｄを備える。
【００７２】
このうち、現在位置情報取得部１０２ａは、端末装置１００の利用者の現在位置情報を取得する現在位置情報取得手段である。ここで、現在位置情報取得部１０２ａは、端末装置１００の利用者の現在位置情報を所定時間（所定周期）ごと（例えば、１秒ごと、または、３分ごと等）に取得してもよい。また、現在位置情報取得部１０２ａは、位置取得部１１２にて位置発信装置５００から受信した位置情報信号から算出した位置情報を端末装置１００の利用者の現在位置情報として取得してもよい。また、現在位置情報取得部１０２ａは、利用者により入力部１１６を介して入力された現在位置についての位置座標等の位置情報を端末装置１００の利用者の現在位置情報として取得してもよい。ここで、利用者により入力部１１６を介して入力された現在位置情報に基づく現在位置は、利用者が現実に存在する位置であってもよく、利用者により任意に選択された仮想の現在位置（一例として、東京にいる利用者により選択された大阪の駅や空港等の任意の地点）であってもよい。例えば、現在位置情報取得部１０２ａは、入力部１１６を介して利用者に出力部１１４に表示された地図情報に基づく表示画面上で指定（例えば、タッチパネル式の出力部１１４での指定操作等）させた座標を端末装置１００の利用者の現在位置情報として取得してもよい。
【００７３】
また、提供情報受付部１０２ｂは、入力部１１６を介して、利用者により情報提供対象にかかる提供情報が入力されるよう制御する提供情報入力制御手段である。例えば、提供情報受付部１０２ｂは、情報提供対象ファイル１０６ａに記憶された情報提供対象の情報を出力部１１４に出力し、利用者に入力部１１６を介して、情報提供対象を選択させて当該情報提供対象の提供情報を入力させてもよい。ここで、提供情報受付部１０２ｂの制御により入力される提供情報は、一例として、遅延情報（遅延時間など）、混雑度（混雑レベルなど）、天気や気温、体感温度（熱い、寒いなど）、事故や渋滞（渋滞の距離、速度など）、情報提供対象の状態（通常運行、不通、停止中など）等であってもよい。
【００７４】
ここで、提供情報受付部１０２ｂは、利用者に情報提供対象を選択させることなく、現在位置情報取得部１０２ａにより取得された現在位置情報に基づいて対応する位置の情報提供対象を特定し、利用者に入力部１１６を介して当該情報提供対象の提供情報を入力させてもよい。なお、現在位置情報に基づく情報提供対象の特定は端末装置１００の処理によることなく、サーバ装置２００が、端末装置１００から受信した提供情報に含まれる現在位置情報に基づいて情報提供対象を特定してもよい。また、提供情報受付部１０２ｂは、利用者が利用中の路線を判定して、利用路線に関する提供情報を駅名等とともに利用者に入力させるよう制御してもよい。例えば、提供情報受付部１０２ｂは、現在位置情報取得部１０２ａにより取得された現在位置情報に基づいて、公共交通機関を利用中であることを検出し、情報提供対象ファイル１０６ａに記憶された路線図データに基づいて、現在位置情報の履歴に対応する利用路線を判定してもよい。そして、提供情報受付部１０２ｂは、出力部１１４に出力した路線図において、入力部１１６を介して利用者の入力操作（タッチパネルの入力部１１６におけるタッチ操作等）を受け付けて利用中の列車や駅を特定してもよい。
【００７５】
また、提供情報送信部１０２ｃは、提供情報受付部１０２ｂの制御により入力された提供情報をサーバ装置２００に送信する提供情報送信手段である。ここで、提供情報送信部１０２ｃは、利用者情報（ユーザＩＤや端末ＩＤ等）や、現在位置情報取得部１０２ａにより取得された現在位置情報や時間情報（現在時刻等）等を提供情報に加えてサーバ装置２００に送信してもよい。
【００７６】
また、ポイント通知部１０２ｄは、サーバ装置２００からポイント情報を受信するポイント情報受信手段である。ここで、ポイント通知部１０２ｄは、サーバ装置２００から、情報提供対象に対応付けられた獲得可能なポイントに関するポイント情報を受信した場合、情報提供対象ファイル１０６ａに格納してもよい。一方、ポイント通知部１０２ｄは、サーバ装置２００から、利用者が獲得したポイントに関するポイント情報を受信した場合は、ポイントファイル１０６ｂに格納してもよい。また、ポイント通知部１０２ｄは、ポイント情報を出力部１１４に出力してもよい。
【００７７】
以上で、第１の実施形態における通信システムの構成の一例の説明を終える。
【００７８】
［ポイント付与システムの処理］
次に、このように構成された第１の実施形態におけるポイント付与システムの処理の一例について、図２から図９を参照して詳細に説明する。図２は、第１の実施形態における端末装置１００の処理の一例を示すフローチャートである。なお、本実施形態の処理は、本処理に限定されず、その一部のみの処理が実行されてもよい。
【００７９】
図２に示すように、まず、端末装置１００の提供情報受付部１０２ｂは、入力部１１６を介して、利用者により情報提供対象にかかる提供情報が入力されるよう制御する（ステップＳＡ−１）。ここで、提供情報受付部１０２ｂの制御により利用者により入力される提供情報は、一例として、遅延情報（遅延時間など）、混雑度（混雑レベルなど）、天気や気温、体感温度（熱い、寒いなど）、事故や渋滞（その原因や、渋滞の距離、速度など）、情報提供対象の状態（通常運行、不通、停止中など）等であってもよい。例えば、提供情報受付部１０２ｂは、情報提供対象ファイル１０６ａに記憶された情報提供対象の情報を出力部１１４に表示し、利用者に入力部１１６を介して、情報提供対象を選択させて当該情報提供対象の提供情報を入力させてもよい。なお、提供情報受付部１０２ｂは、利用者に情報提供対象を選択させることなく、現在位置情報取得部１０２ａにより取得された現在位置情報に基づいて対応する位置の情報提供対象を特定して、利用者により入力された提供情報との対応付けを行ってもよい。
【００８０】
そして、端末装置１００の提供情報送信部１０２ｃは、提供情報受付部１０２ｂの制御により入力された提供情報を、サーバ装置２００に送信する（ステップＳＡ−２）。ここで、提供情報送信部１０２ｃは、利用者情報（ユーザＩＤや端末ＩＤ等）や、現在位置情報取得部１０２ａにより取得された現在位置情報や時間情報（現在時刻等）や情報提供対象の識別情報等を、提供情報に含めてサーバ装置２００に送信してもよい。
【００８１】
そして、サーバ装置２００の提供情報受信部２０２ａは、端末装置１００から送信された、情報提供対象にかかる提供情報を受信する（ステップＳＡ−３）。ここで、提供情報受信部２０２ａは、受信した提供情報に含まれる情報提供対象の識別情報に基づいて、対応する情報提供対象に関連付けて、受信した提供情報を情報提供対象データベース２０６ａに格納してもよい。これに限られず、提供情報受信部２０２ａは、情報提供対象データベース２０６ａに記憶された情報提供対象の位置情報を参照して、受信した提供情報に含まれる現在位置情報に対応する情報提供対象を特定して、特定した情報提供対象に関連付けて、受信した提供情報を情報提供対象データベース２０６ａに格納してもよい。
【００８２】
そして、サーバ装置２００のポイント算出部２０２ｂは、受信した提供情報にかかる情報提供対象について、当該情報提供対象以外の情報提供対象の情報提供の有無および／もしくは量と当該情報提供対象以外の情報提供対象との位置情報に基づく距離的離間度とを考慮して、ならびに／または、当該情報提供対象の過去の情報提供の有無および／もしくは量と時間情報による過去の情報提供との時間的離間度とを考慮して、ポイントを算出する（ステップＳＡ−４）。ここで、図３および図４は、距離的離間度を考慮した結果、低ポイントが算出される例と高ポイントが算出される例を模式的に示した路線図である。図中の星印は、情報提供対象データベース２０６ａに提供情報等のデータが記憶されている情報提供対象を示しており、逆三角印は、ポイント算出対象である情報提供対象を示している。
【００８３】
図３に示すように、ポイント算出対象のＡ１３駅と、既に情報提供がなされている近接するＡ１０駅とは、３駅違いであるので、ポイント算出部２０２ｂは、比較的低いポイント（例えば、ｘ２＝３２＝９ポイント）を算出する。一方、図４に示すように、ポイント算出対象のＡ１３駅と、既に情報提供がなされている近隣のＡ２２駅とは、９駅違いであるので、ポイント算出部２０２ｂは、比較的高いポイント（例えば、ｘ２＝９２＝８１ポイント）を算出する。したがって、ある鉄道路線において、周辺の駅に対して既に情報提供が行われた場合において、低下した情報の価値に対応してポイントを算出することができる。なお、この例では、距離的離間度が最も小さい情報提供対象の距離的離間度のみを考慮してポイントを算出したが、これに限れず、ポイント算出部２０２ｂは、既に情報提供がなされている各駅と間の駅数（ｘ）に応じたポイント（ｘ２）を足し合わせて、その総和（Σｘ２）をポイント数としてもよい。また、距離的離間度のみならず時間的離間度を加味してポイントを算出してもよい。ここで、図５は、ポイント算出のために用いる路線図を示しており、図６は、駅間の距離的離間度に加えて車両間の距離的離間度やダイヤ本数の時間的離間度を考慮してポイントを算出する例を模式的に示す図である。
【００８４】
図５および図６に示すように、既に情報提供（投稿）が行われた「９：００発  Ｂ２１駅発、Ｂ２６駅、前方車両」の情報提供対象と、ポイント算出対象である「９：２５発  Ｂ２１駅発、Ｂ２２駅、中方車両」とを比較した結果、時刻表上ダイヤ本数（ｚ）は５本離れており、駅間の駅数（ｘ）は４駅離れており、車両間の車両数（ｙ）は１区分離れている。一例として、ポイント算出部２０２ｂは、上述した式（ポイント数＝ｚ２＋ｘ２＋ｙ２）に基づいて、５２＋４２＋１２＝４２ポイントと算出してもよい。また、既に情報提供（投稿）が行われた「９：０５発  Ｂ２１駅発、Ｂ２２駅、後方車両」の情報提供対象と、ポイント算出対象である「９：２５発  Ｂ２１駅発、Ｂ２２駅、中方車両」とを比較した結果、時刻表上ダイヤ本数（ｚ）は４本離れており、駅間の駅数（ｘ）は０駅離れており、車両間の車両数（ｙ）は１区分離れている。そのため、ポイント算出部２０２ｂは、上述した式（ポイント数＝ｚ２＋ｘ２＋ｙ２）に基づいて、４２＋０２＋１２＝１７ポイントと算出してもよい。なお、ポイント算出部２０２ｂは、距離的離間度および距離的離間度の総和が最も小さい後者の情報提供対象のみを考慮してポイント（この例では１７ポイント）を算出してもよい。また、図５に示すように、ポイント算出部２０２ｂは、駅間の駅数（ｘ）を停車駅の数に基づいてポイントを求めてもよい。例えば、各駅停車の列車ではない快速列車である場合、Ｂ２８駅とＢ３５駅との間を、各駅停車の場合の７駅ではなく通過する駅を除いた２駅としてポイントを算出してもよい。
【００８５】
再び図２に戻り、サーバ装置２００のポイント情報送信部２０２ｃは、ポイント算出部２０２ｂにより算出されたポイント数等のポイント情報を端末装置１００に送信する（ステップＳＡ−５）。ここで、ポイント情報送信部２０２ｃは、ポイントデータベース２０６ｄに記憶された利用者情報（ユーザＩＤや端末ＩＤ等）に対応するポイント情報を端末装置１００に送信してもよい。例えば、ポイント情報送信部２０２ｃは、ポイント数のほか、ポイント獲得履歴（ポイントを獲得した日付やポイント数等の情報等）、ランキング順位（ポイント数が利用者全体のうちの何位か等）、ポイント利用履歴、所定の条件を満たすポイントと引き換え可能なサービスや商品等を特定する情報等のポイント情報を端末装置１００に送信してもよい。
【００８６】
そして、端末装置１００のポイント通知部１０２ｄは、サーバ装置２００からポイント情報を受信する（ステップＳＡ−６）。ここで、ポイント通知部１０２ｄは、サーバ装置２００から、情報提供対象に対応付けられた獲得可能なポイントに関するポイント情報を受信した場合、情報提供対象ファイル１０６ａに格納してもよい。
【００８７】
そして、端末装置１００のポイント通知部１０２ｄは、受信したポイント情報を出力部１１４に出力して利用者に通知する（ステップＳＡ−７）。ここで、図７は、ポイント通知部１０２ｄにより出力されたポイント情報に基づく表示画面例を示す図である。
【００８８】
図７に示すように、ポイント通知部１０２ｄは、今回の投稿（情報提供）が完了した旨とともに、今回の投稿によって追加されたポイント数（２５ポイント）や情報提供のレア度（三星）や累積ポイント（１００ポイント）を含むポイント表示領域ＭＡ−１や、ポイントによって獲得されたアイテム等を、ポイント情報に基づいて表示してもよい。ここで、利用者が入力部１１６を介して「投稿履歴を確認」ボタンＭＡ−２を押下した場合、ポイント通知部１０２ｄは、ポイントファイル１０６ｂに記憶されたポイント情報の履歴に基づいて、投稿履歴を表示させてもよい。ここで、図８は、ポイント通知部１０２ｄにより出力されたポイント情報の履歴に基づく表示画面例を示す図である。
【００８９】
図８に示すように、ポイント通知部１０２ｄは、図７の「投稿履歴を確認」ボタンＭＡ−２が選択された場合、ポイントファイル１０６ｂに記憶されたポイント情報の履歴に基づいて、投稿日時や追加ポイント数や情報提供対象名を含む投稿履歴表示領域ＭＡ−３を表示させてもよい。なお、ポイント通知部１０２ｄは、利用者間のランキングを表示させてもよい。ここで、図９は、ポイント通知部１０２ｄにより表示されるランキング表示画面例を示す図である。
【００９０】
図９に示すように、ポイント通知部１０２ｄは、サーバ装置２００から利用者の獲得ポイント数に基づいてランキング形式で表したポイント情報を受信して、出力部１１４に表示させてもよい。なお、図９の例では、各利用者の利用者名や順位とともに、投稿の性質の類型（「毎日コツコツ型」や「レア情報型」など）を含む表示領域ＭＡ−７が表示画面に含まれる。
【００９１】
以上が本実施の形態におけるポイント付与システムの処理の一例である。なお、上述した例においては、サーバ装置２００は、端末装置１００から提供情報を受信した後に、ポイント算出処理（ステップＳＡ−４）を行っていたが、これに限られず、サーバ装置２００は、事前にポイント算出処理を行っておいてもよい。例えば、サーバ装置２００のポイント算出部２０２ｂは、情報提供対象データベース２０６ａに記憶された任意の情報提供対象をポイント算出対象として、ポイント算出処理を実行してもよい。そして、サーバ装置２００のポイント情報送信部２０２ｃは、ポイント算出部２０２ｂにより算出されたポイント数を情報提供対象に対応付けたポイント情報を端末装置１００に送信してもよい。
【００９２】
そして、端末装置１００のポイント通知部１０２ｄは、ポイント情報を受信して出力部１１４に出力して、以降は上述したステップＳＡ−１〜ＳＡ−３，ＳＡ−５〜ＳＡ−７の処理を行ってもよい。ここで、図１０は、ポイント通知部１０２ｄにより出力されたポイント情報に基づく表示画面例を示す図である。
【００９３】
図１０に示すように、ポイント通知部１０２ｄは、サーバ装置２００が事前に算出したポイント数の表示領域ＭＡ−４を、路線図上の駅に対応付けたポイント情報を表示することによって、もし情報提供を行えば何ポイントが獲得できるかを利用者に知らせて、情報提供への動機付けを行ってもよい。また更に、ポイント通知部１０２ｄは、サーバ装置２００から受信したポイント情報において、特に算出されたポイント数が高く狙い目であることを示す表示領域ＭＡ−５（図中の「★Ｃｈａｎｃｅ」の吹き出し）を、路線図上の駅に対応付けて表示してもよい。これにより、もし情報提供を行えば高ポイントを獲得できるかを利用者に知らせて、情報提供への動機付けを行うことができる。
【００９４】
これにて、第１の実施形態におけるナビゲーションシステムの処理の説明を終える。
【００９５】
［第２の実施形態］
続いて、本発明の第２の実施形態（ポイント付与装置４００（サーバ主導型））について、図１１および図１２を参照して説明する。ここで、図１１は、第２の実施形態におけるポイント付与装置４００の構成の一例を示すブロック図であり、該構成のうち本発明に関係する部分のみを概念的に示している。
【００９６】
まず、第２の実施形態におけるポイント付与装置４００（サーバ主導型）の構成の一例について、図１１を参照して説明する。
【００９７】
図１１に示すように、第２の実施形態のポイント付与装置４００は、制御部４０２と、記憶部４０６と通信制御インターフェース部４０４と入出力制御インターフェース部４０８を少なくとも備える。通信には、一例として、ネットワーク３００を介した有線・無線通信等の遠隔通信等を含む。また、これらポイント付与装置４００の各部は任意の通信路を介して通信可能に接続されている。なお、外部機器６００の構成は、第１の実施形態における構成と同様であってもよく、また、端末装置１００の一部構成を有してもよい。
【００９８】
図１１において、ポイント付与装置４００は、ポイント算出対象の情報提供対象について、当該情報提供対象以外の情報提供対象の情報提供の有無および／もしくは量と当該情報提供対象以外の情報提供対象との位置情報に基づく距離的離間度とを考慮して、ならびに／または、当該情報提供対象の過去の情報提供の有無および／もしくは量と時間情報による過去の情報提供との時間的離間度とを考慮して、ポイントを算出する等の機能を有する。
【００９９】
なお、ポイント付与装置４００における通信制御インターフェース部４０４および記憶部４０６（具体的には、情報提供対象データベース４０６ａ、地図データベース４０６ｂ、時刻表データベース４０６ｃ、ポイントデータベース４０６ｄ等）の機能は、第１の実施形態と同様であるため説明を省略する。また、位置発信装置５００、位置取得部４１２、出力部４１４、および、入力部４１６の機能についても、第１の実施形態と同様であるため説明を省略する。
【０１００】
また、図１１において、制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、現在位置情報取得部４０２ａ、提供情報受付部４０２ｂ、ポイント算出部４０２ｃ、および、ポイント通知部４０２ｄを備える。このうち、現在位置情報取得部４０２ａ、および、ポイント算出部４０２ｃの機能については、第１の実施形態と同様であるので説明を省略する。
【０１０１】
図１１において、提供情報受付部４０２ｂは、提供情報を受け付ける提供情報受付手段である。ここで、提供情報受付部４０２ｂは、入力部４１６を介して、利用者により情報提供対象にかかる提供情報が入力されるよう制御してもよい。例えば、提供情報受付部４０２ｂは、情報提供対象データベース４０６ａに記憶された情報提供対象の情報を出力部４１４に出力し、利用者に入力部４１６を介して、情報提供対象を選択させて当該情報提供対象の提供情報を入力させてもよい。ここで、提供情報受付部４０２ｂは、利用者に情報提供対象を選択させることなく、現在位置情報取得部４０２ａにより取得された現在位置情報に基づいて対応する位置の情報提供対象を特定し、利用者に入力部４１６を介して当該情報提供対象の提供情報を入力させてもよい。また、提供情報受付部４０２ｂは、ネットワーク３００を介して、外部機器６００から提供情報を受信してもよい。なお、提供情報受付部４０２ｂは、取得した提供情報を、対応する情報提供対象の識別情報に対応付けて、情報提供対象データベース２０６ａに格納してもよい。ここで、提供情報受付部４０２ｂは、受信した提供情報に含まれる現在位置情報に基づいて情報提供対象を特定してもよい。
【０１０２】
また、ポイント通知部４０２ｄは、ポイント算出部２０２ｂにより算出されたポイント数を含むポイント情報を出力するポイント情報出力手段である。ここで、ポイント通知部４０２ｄは、ポイント情報を出力部４１４に出力してもよく、ネットワーク３００を介して外部機器６００に送信することによりポイント情報を出力してもよい。なお、ポイント通知部４０２ｄにより出力されるポイント情報は、情報提供対象に対応付けられた事前に算出された獲得可能なポイントに関するポイント情報であってもよく、利用者が獲得したポイントに関するポイント情報であってもよい。一例として、ポイント通知部４０２ｄは、ポイントデータベース４０６ｄに記憶された利用者情報（ユーザＩＤや端末ＩＤ等）に対応するポイント情報を出力してもよい。例えば、ポイント通知部４０２ｄは、ポイント数のほか、ポイント獲得履歴（ポイントを獲得した日付やポイント数等の情報等）、ランキング順位（ポイント数が利用者全体のうちの何位か等）、ポイント利用履歴、ポイントと引き換え可能なサービスや商品等を特定する情報等のポイント情報を出力してもよい。
【０１０３】
以上で、第２の実施形態におけるポイント付与装置４００の構成の一例の説明を終える。
【０１０４】
［ポイント付与装置４００の処理］
次に、このように構成された第２の実施形態におけるポイント付与装置４００の処理の一例について、図１２を参照して詳細に説明する。図１２は、第２の実施形態におけるポイント付与装置４００の処理の一例を示すフローチャートである。
【０１０５】
図１２に示すように、ポイント算出部４０２ｃは、ポイント算出対象となる情報提供対象を特定する（ステップＳＢ−１）。例えば、ポイント算出部４０２ｃは、提供情報受付部４０２ｄにより取得した提供情報にかかる情報提供対象をポイント算出対象に特定してもよく、情報提供対象データベース４０６ａに記憶された任意の情報提供対象をポイント算出対象に特定してもよい。
【０１０６】
そして、ポイント算出部２０２ｂは、ポイント算出対象として特定した情報提供対象について、当該情報提供対象以外の情報提供対象の情報提供の有無および／もしくは量と当該情報提供対象以外の情報提供対象との位置情報に基づく距離的離間度とを考慮して、ならびに／または、当該情報提供対象の過去の情報提供の有無および／もしくは量と時間情報による過去の情報提供との時間的離間度とを考慮して、ポイントを算出する（ステップＳＢ−１）。ポイント算出処理の詳細については第１の実施形態と同様であるので説明を省略する。
【０１０７】
そして、ポイント算出部２０２ｂは、算出したポイント数を、ポイントデータベース４０６ｄの対応する情報提供対象の項目に保存する（ステップＳＢ−３）。ここで、ポイント算出部２０２ｂは、追加されたポイント数の履歴が残るようにポイントデータベース４０６ｄに格納してもよく、ポイント数の合計を格納してもよい。また、ポイント算出部２０２ｂは、ポイント数合計が所定の条件（所定のポイント数を超えたか等）を満たした場合に、ポイントと引き換え可能なサービスや商品等を特定する情報等のポイント情報を、ポイントデータベース４０６ｄに格納してもよい。
【０１０８】
以上が、第２の実施形態におけるポイント付与装置４００の処理の一例である。なお、詳細な処理について、第１の実施形態と同様の処理を適用してもよい。
【０１０９】
以上で、第２の実施形態の説明を終える。
【０１１０】
［他の実施の形態］
さて、これまで本発明の実施の形態について説明したが、本発明は、上述した実施の形態以外にも、特許請求の範囲に記載した技術的思想の範囲内において種々の異なる実施の形態にて実施されてよいものである。
【０１１１】
例えば、ポイント付与装置４００がスタンドアローンの形態で処理を行う場合を一例に説明したが、ポイント付与装置４００は、クライアント端末からの要求に応じて処理を行い、その処理結果を当該クライアント端末に返却するようにしてもよい。なお、第１の実施形態においては、通信型のナビゲーションを提供するナビゲーションシステムを具体例として説明したが、本発明はこれに限ることなく、スタンドアローンタイプのナビゲーションシステムなどにも適用可能である。
【０１１２】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１１３】
このほか、上記文献中や図面中で示した処理手順、制御手順、具体的名称、各処理の登録データや検索条件等のパラメタを含む情報、画面例、データベース構成については、特記する場合を除いて任意に変更することができる。
【０１１４】
また、端末装置１００、サーバ装置２００、および、ポイント付与装置４００に関して、図示の各構成要素は機能概念的なものであり、必ずしも物理的に図示の如く構成されていることを要しない。
【０１１５】
例えば、端末装置１００、サーバ装置２００、および、ポイント付与装置４００の各装置が備える処理機能、特に制御部１０２，２０２，４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する、コンピュータに本発明に係る方法を実行させるためのプログラム化された命令を含む、一時的でないコンピュータ読み取り可能な記録媒体に記録されており、必要に応じて端末装置１００、サーバ装置２００、および、ポイント付与装置４００に機械的に読み取られる。すなわち、ＲＯＭまたはＨＤＤなどの記憶部１０６，２０６，４０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１１６】
また、このコンピュータプログラムは、端末装置１００、サーバ装置２００、および、ポイント付与装置４００に対して任意のネットワーク３００を介して接続されたアプリケーションプログラムサーバに記憶されていてもよく、必要に応じてその全部または一部をダウンロードすることも可能である。
【０１１７】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【０１１８】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１１９】
記憶部１０６，２０６，４０６に格納される各種のデータベース等（情報提供対象データベース２０６ａ，４０６ａ〜ポイントデータベース２０６ｄ，４０６ｄ、ならびに、情報提供対象ファイル１０６ａおよびポイントファイル１０６ｂ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１２０】
また、ポイント付与装置４００は、既知のパーソナルコンピュータ、ワークステーション等の情報処理装置として構成してもよく、また、該情報処理装置に任意の周辺装置を接続して構成してもよい。また、ポイント付与装置４００は、該情報処理装置に本発明の方法を実現させるソフトウェア（プログラム、データ等を含む）を実装することにより実現してもよい。
【０１２１】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【０１２２】
以上詳述に説明したように、本発明によれば、距離的な離間度や時間的な離間度に応じた価値の変動に対応してポイント付与を行うことができる、ポイント付与システム、サーバ装置、ポイント付与装置、ポイント付与方法、および、プログラム、並びに、記録媒体を提供することができる。
【符号の説明】
【０１２３】
１００  端末装置
１０２  制御部
１０２ａ  現在位置情報取得部
１０２ｂ  提供情報受付部
１０２ｃ  提供情報送信部
１０２ｄ  ポイント通知部
１０４  通信制御インターフェース部
１０６  記憶部
１０６ａ  情報提供対象ファイル
１０６ｂ  ポイントファイル
１０８  入出力制御インターフェース部
１１２  位置取得部
１１４  出力部
１１６  入力部
２００  サーバ装置
２０２  制御部
２０２ａ  提供情報受信部
２０２ｂ  ポイント算出部
２０２ｃ  ポイント情報送信部
２０４  通信制御インターフェース部
２０６  記憶部
２０６ａ  情報提供対象データベース
２０６ｂ  地図データベース
２０６ｃ  時刻表データベース
２０６ｄ  ポイントデータベース
４００  ポイント付与装置
４０２  制御部
４０２ａ  現在位置情報取得部
４０２ｂ  提供情報受付部
４０２ｃ  ポイント算出部
４０２ｄ  ポイント通知部
４０４  通信制御インターフェース部
４０６  記憶部
４０６ａ  情報提供対象データベース
４０６ｂ  地図データベース
４０６ｃ  時刻表データベース
４０６ｄ  ポイントデータベース
４０８  入出力制御インターフェース部
４１２  位置取得部
４１４  出力部
４１６  入力部
６００  外部機器
【図１】
2014067246.tif 000003
【図２】
2014067246.tif 000004
【図３】
2014067246.tif 000005
【図４】
2014067246.tif 000006
【図５】
2014067246.tif 000007
【図６】
2014067246.tif 000008
【図７】
2014067246.tif 000009
【図８】
2014067246.tif 000010
【図９】
2014067246.tif 000011
【図１０】
2014067246.tif 000012
【図１１】
2014067246.tif 000013
【図１２】
2014067246.tif 000014